(57)【要約】【課題】家庭用の調理器具であるホットプレートの電熱装置部分を利用して、湯槽中の水を加熱することが可能となる足湯装置を提供する。【解決手段】  膝下両脚を収納可能な空間を形成した上部開放型湯槽１の底面部１ｂ下に、ホットプレート用電熱装置２を収納可能な空間が形成されように前記底面部１ｂを上げ底にする底下囲壁１ａを前記底面部１ｂの周囲に形成する。該湯槽１の底面部１ｂの下面に、収納した前記電熱装置２のヒータ３部分の全上面に接触可能とした金属製伝熱プレート４を一体か又は密着させて設ける。前記湯槽１内の底から一定高さに着脱可能な通水孔７を有する足乗せ台板６を備え、前記底下囲壁１ａの下端部に底高調節ネジ脚５を設けて、前記金属製伝熱プレート４を前記電熱装置２のヒータ３に接触するように底面部１ｂの高さ調節を可能とする。【選択図】    図１
0003157386.tif 000002
【実用新案登録請求の範囲】
【請求項１】
膝下両脚を収納可能な空間を形成した上部開放型湯槽の底面部下に、ホットプレート用電熱装置を収納可能な空間が形成されように前記底面部を上げ底にする底下囲壁を前記底面部の周囲に形成し、
該湯槽の底面部の下面に、収納した前記電熱装置のヒータ部分の全上面に接触可能とした金属製伝熱プレートを一体に設けるか又は密着させて設け、
前記湯槽内の底から一定高さに着脱可能な通水孔を有する足乗せ台板を備え、
前記底下囲壁の下端部に、前記金属製伝熱プレートを前記電熱装置のヒータに接触するように底面部の高さ調節を可能とする底高調節ネジ脚を設けたことを特徴とする家庭用足湯装置。
【請求項２】
湯槽の上部に設けた取手枢支部に取手を枢着したことを特徴とする請求項１に記載の家庭用足湯装置。
【請求項３】
底下囲壁の底部に電熱装置の電気コードを挿通可能としたコード通し用切欠部を設けたことを特徴とする請求項１又は２に記載の家庭用足湯装置。
【請求項４】
電気コードにプラグ受け及びプラグを備えた手元スイッチを備え、電熱装置の電気コードのプラグに接続した手元スイッチのオン・オフ操作でお湯の温度を調節可能としたことを特徴とする請求項１から３のうちいずれかに記載の家庭用足湯装置。
【考案の詳細な説明】
【技術分野】
【０００１】
本考案は足を温水で暖めるための家庭用足湯装置に関する。
【背景技術】
【０００２】
バケツのような容器に温水を入れて手軽に足を暖める（足湯と呼ばれる）ことが行われているが、足に熱を奪われてすぐに温度が低下してしまうため、長時間使用するには熱湯の汲み足しや交換を頻繁にしなければお湯を適温に保つことができないという難点がある。この難点を解決するため、例えば下記特許文献１に記載の「足風呂浴槽」のように、加熱手段を備えることで冷えた湯を適温になるように加熱できるようにした家庭用の足湯装置が提案されている。
【先行技術文献】
【特許文献】
【０００３】
【特許文献１】特開２００６−２１２３６７号公報
【考案の概要】
【考案が解決しようとする課題】
【０００４】
しかしながら、従来の技術はいずれも上記特許文献１の発明のように加熱装置部分が湯槽と一体となっているために装置全体の重量が大きく、特にお湯を入れたままでの移動は困難であった。
そこで上記特許文献１の発明では、水運搬用の袋を収納して、装置への袋の出し入れで「足風呂浴槽」の本体は移動せずに中にお湯を出し入れできるようにしている。しかしながら、足を入れて使用しているときに袋と底に敷いた足を載せる板とが摩擦して袋の表面に傷が入ったり、また運搬途中に破れたりして水漏れするおそれがある。
またそのような加熱手段と湯槽とが一体となった家庭用電気製品は高価となってしまうため一般には普及していない。
【０００５】
そこで本考案は、市販されている家庭調理用のホットプレートの加熱部分を熱源として利用し、且つその熱源と湯槽とを着脱可能に連結させることで、装置全体の製造コストを低く抑えることができ、且つ水の汲み込みや汲み出しを熱源と切り離した軽い湯槽を持ち運びしてだれでも容易に行うことができる家庭用の足湯装置を提供することを目的とする。
【課題を解決するための手段】
【０００６】
上記課題を解決するため、本考案の家庭用足湯装置は、請求項１に記載の考案にあっては、膝下両脚を収納可能な空間を形成した上部開放型湯槽の底面部下に、ホットプレート用電熱装置を収納可能な空間が形成されように前記底面部を上げ底にする底下囲壁を前記底面部の周囲に形成する。
該湯槽の底面部の下面に、収納した前記電熱装置のヒータ部分の全上面に接触可能とした金属製伝熱プレートを一体に設けるか又は密着させて設ける。
前記湯槽内の底から一定高さに着脱可能な通水孔を有する足乗せ台板を備える。
そして、前記底下囲壁の下端部に底高調節ネジ脚を設けて、前記金属製伝熱プレートを前記電熱装置のヒータに接触するように底面部の高さ調節を可能としたことを特徴とする。
【０００７】
請求項２に記載の考案は、上記考案において、前記湯槽の上部に設けた取手枢支部に取手を枢着したことを特徴とする。
【０００８】
請求項３に記載の考案は、上記各考案において、前記底下囲壁の底部に電熱装置の電気コードを挿通可能としたコード通し用切欠部を設けたことを特徴とする。
【０００９】
請求項４に記載の考案は、上記各考案において、電気コードにプラグ受け及びプラグを備えた手元スイッチを備え、電熱装置の電気コードのプラグに接続した手元スイッチのオン・オフ操作でお湯の温度を調節可能としたことを特徴とする。
【考案の効果】
【００１０】
本発明は、湯槽の前記底下囲壁の下端部に底高調節ネジ脚を設けて、前記電熱装置のヒータに前記金属製伝熱プレートが必ず接触するように調節可能となるので、現在普及している家庭調理用のホットプレート用電熱装置を改造することなく足湯のお湯の温度を一定に保つ熱源として利用することが可能となる。
そして、上の軽い湯槽と重量のある下の電熱装置とが分離できるので、電熱装置から分離した湯槽だけで水の入れ替などの運搬作業が容易となる。
また、一般に普及している家庭調理用のホットプレートを熱源としてそのまま利用することができるので、装置全体の製造コストを低く抑えることが可能となる。
【００１１】
また、請求項２に記載の考案においては、水を入れた湯槽を、取手を持って容易に持ち運ぶことが可能となる。
【００１２】
さらに、請求項３に記載の考案においては、湯槽の底面部下に収納した電熱装置の電気コードをコード通し用切欠部を通すことで、底下囲壁の底部で踏みつけずに湯槽の底面部下に安全に納めることが可能となる。
【００１３】
さらに、請求項４に記載の考案においては、電熱装置の電気コードのプラグに手元スイッチを装着して、その手元スイッチのオン・オフ操作で使用者自らがお湯の熱さを感じながら自由に温度を上げ下げ調節することが可能となる。
【図面の簡単な説明】
【００１４】
【図１】本考案の使用状態を示す縦断側面である。
【図２】本考案の各部品を分離した状態を示す斜視図である。
【考案を実施するための形態】
【００１５】
本考案の家庭用足湯装置を実施するための形態を以下説明する。
本考案は、図１及び図２に示すように、請求項１に記載の考案にあっては、膝下両脚を収納可能な空間を形成した上部開放型湯槽１の底面部１ｂ下に、つまみ付き温度調節器９を備えたホットプレート用電熱装置２を収納可能な空間を形成するために、前記湯槽１の底面部１ｂの周囲に底下囲壁１ａを設けて前記底面部１ｂを上げ底にする。
そして、該湯槽１の底面部１ｂの下面に、収納した前記電熱装置２の通電発熱棒型のヒータ３部分の全上面に接触可能とした金属製伝熱プレート４を接着剤で密着させて設ける。
【００１６】
また、前記湯槽１内の底から一定高さに着脱可能な通水孔７を有する足乗せ台板６を備える。
この足乗せ台板６は、加熱されて温度が高くなった湯槽１の底面部１ｂやそこから浮上すする熱いお湯が足裏に直接触れるのを避けるためのものである。
【００１７】
そして、前記底下囲壁１ａの下端部に、前記金属製伝熱プレート４を前記電熱装置２のヒータ３に接触するように底面部１ｂの高さ調節を可能とする底高調節ネジ脚５を設ける。
【００１８】
また、前記湯槽１の上部に設けた取手枢支部１２に取手８を枢着し、前記底下囲壁１ａの底部に電熱装置２の電気コード１０を挿通可能としたコード通し用切欠部１１を設ける。
【００１９】
さらに、電気コード１９にプラグ受け１７及びプラグ１８を備えた手元スイッチ１６を備え、電熱装置２の電気コード１０のプラグ１５に接続した手元スイッチ１６のオン・オフ操作でお湯の温度を調節可能とする。
【００２０】
本考案の各部の材質は、湯槽１はプラスチック又はアルミなどの非電通製の金属で形成する。
該湯槽１の底面部１ｂの下面にはアルミ、銅、鉄などの熱伝導性の高い金属製伝熱プレート４を接着剤で一体的に密着させるか又は嵌め込んで一体的に固定する。
また、前記通水孔７を有する足乗せ台板６は木製のスノコやプラスチック板が使用できる。
前記湯槽１の上部に設ける取手８は鉄などの金属やプラスチックが使用できる。
【００２１】
本発明の使用方法は、図２に示すように、家庭調理用のホットプレートから上に載せられているプレートを外して、その下にある電熱装置２部分を使用する。
まず、前記電熱装置２の上に、コード通し用切欠部１１に電熱装置２の電気コード１０を挿通して前記湯槽１を被せるように置く。
次ぎに、前記底下囲壁１ａの下端部の底高調節ネジ脚５を用いて、湯槽１の底にある金属製伝熱プレート４の高さを前記電熱装置２のヒータ３部分に接触まで上げ下げして調節する。
【００２２】
そして、高さ位置が決まったら湯槽１部分を水道の蛇口に運んで湯槽１内の足乗せ台６の上に湯槽１内の深さの半分程度まで水を入れる。
そして電源に繋いだつまみ付き温度調節器９で温度を低く設定し、設定してｓｐのスイッチを入れる。
次に、前記電熱装置２の上に、またコード通し用切欠部１１に電熱装置２の電気コード１０を挿通して前記湯槽１を置く。
【００２３】
そして、図２に示すように、電熱装置２のヒータ３が加熱され、その温度がその上の前記金属製伝熱プレート４に熱伝導し、該金属製伝熱プレート４が加熱されてその上の湯槽１の底面部１ｂが加熱され、中の水が温められる。
温められた水は足乗せ台板６の通水孔７から上昇し湯槽１中の水全体の温度を上昇させる。
そして適度の温度に温まったかを確認して電熱装置２のスイッチを切り、足を入れて暖める。
なお、長時間使用する場合には、前記電熱装置２の電気コード１０のプラグ１５に手元スイッチ１６電源に接続し、その手元スイッチ１６のオン・オフ操作で使用者自らがお湯の熱さを感じながら自由に温度を上げ下げ調節することができる。
【００２４】
お湯の温度は使用中に前記手元スイッチ１６を用いてオン・オフ操作を行ってする方法の他に、温度センサーを装着して自動的に行う方法も可能である。その場合、温度センサーを湯槽に入れ、この温度センサーと連動する温度制御回路を設けて一定温度域に加熱が行われるようにすれば良い。
【産業上の利用可能性】
【００２５】
本考案は足を暖めるための家庭用の足湯装置に関するものであるが、単に温水を得るための温水装置としての利用も可能である。
【符号の説明】
【００２６】
１    湯槽
１ａ  底下囲壁
１ｂ  底面部
２    ホットプレート用電熱装置
３    ヒータ
４    金属製伝熱プレート
５    底高調節ネジ脚
６    足乗せ台
７    通水孔
８    取手
９    つまみ付き温度調節器
１０  電気コード
１１  コード通し用切欠部
１２  取手枢支部
１３  ヒータ支持体
１４  ネジ孔
１５  プラグ
１６  手元スイッチ
１７  プラグ受け
１８  プラグ
１９  電気コード
【図１】
0003157386.tif 000003
【図２】
0003157386.tif 000004
【手続補正書】
【提出日】平成21年11月27日(2009.11.27)
【手続補正１】
【補正対象書類名】実用新案登録請求の範囲
【補正対象項目名】請求項１
【補正方法】変更
【補正の内容】
【請求項１】
膝下両脚を収納可能な空間を形成した上部開放型湯槽の底面部下に、ホットプレート用電熱装置を収納可能な空間が形成されるように前記底面部を上げ底にする底下囲壁を前記底面部の周囲に形成し、
該湯槽の底面部の下面に、収納した前記電熱装置のヒータ部分の全上面に接触可能とした金属製伝熱プレートを一体に設けるか又は密着させて設け、
前記湯槽内の底から一定高さに着脱可能な通水孔を有する足乗せ台板を備え、
前記底下囲壁の下端部に、前記金属製伝熱プレートを前記電熱装置のヒータに接触するように底面部の高さ調節を可能とする底高調節ネジ脚を設けたことを特徴とする家庭用足湯装置。